(57)【要約】【課題】  光源が直接見えることがなく、且つ光源への電気配線が外部から見えない意匠性の良い照明具を提供することを目的とする。【解決手段】  取付材と、取付材に取り付けられるカバー材を備え、取付材は被取付部への固定部と間接光形成部を有し、間接光形成部に配置された光源は、間接光形成部の内方に光を照射することで間接光形成部の開口部から外方に間接光を照射しており、取付材とカバー材に囲まれた配線空間が形成されている。【選択図】      図１
2020194640.tif 000002
【特許請求の範囲】
【請求項１】
取付材と、取付材に取り付けられるカバー材を備え、
取付材は被取付部への固定部と間接光形成部を有し、間接光形成部に配置された光源は、間接光形成部の内方に光を照射することで間接光形成部の開口部から外方に間接光を照射しており、
取付材とカバー材に囲まれた配線空間が形成されていることを特徴とする照明具。
【請求項２】
取付材と、取付材に取り付けられるカバー材を備え、
取付材は被取付部への固定部を有し、
カバー材は間接光形成部を有しており、間接光形成部に配置された光源は、間接光形成部の内方に光を照射することで間接光形成部の開口部から外方に間接光を照射しており、
取付材とカバー材に囲まれた配線空間が形成されていることを特徴とする照明具。
【請求項３】
取付材と、取付材に取り付けられるカバー材を備え、
取付材は被取付部への固定部を有し、
取付材とカバー材とによって間接光形成部が形成されており、間接光形成部に配置された光源は、間接光形成部の内方に光を照射することで間接光形成部の開口部から外方に間接光を照射しており、取付材とカバー材に囲まれた配線空間が形成されていることを特徴とする照明具。
【発明の詳細な説明】
【技術分野】
【０００１】
本発明は、照明具に関する。
【背景技術】
【０００２】
従来の柱や壁体などの建材に取り付ける照明具では、照明具を見る方向によっては光源が直接見えてしまう場合があり、眩しく感じることがあった。また、光源に繋がれた電気配線が外部に露出する場合もあり、意匠性が悪かった。
【先行技術文献】
【非特許文献】
【０００３】
【非特許文献１】「エクステリア建材総合カタログ2018-2019（STX1175A）」三協立山株式会社、2018年2月、p.56
【発明の概要】
【発明が解決しようとする課題】
【０００４】
本発明は上記課題に鑑み、光源が直接見えることがなく、且つ光源への電気配線が外部から見えない意匠性の良い照明具を提供することを目的とする。
【課題を解決するための手段】
【０００５】
本発明のうち請求項１に記載の照明具は、取付材と、取付材に取り付けられるカバー材を備え、取付材は被取付部への固定部と間接光形成部を有し、間接光形成部に配置された光源は、間接光形成部の内方に光を照射することで間接光形成部の開口部から外方に間接光を照射しており、カバー材と取付材に囲まれた配線空間が形成されていることを特徴とする。
【０００６】
本発明のうち請求項２に記載の照明具は、取付材と、取付材に取り付けられるカバー材を備え、取付材は被取付部への固定部を有し、カバー材は間接光形成部を有しており、間接光形成部に配置された光源は、間接光形成部の内方に光を照射することで間接光形成部の開口部から外方に間接光を照射しており、カバー材と取付材に囲まれた配線空間が形成されていることを特徴とする。
【０００７】
本発明のうち請求項３に記載の照明具は、取付材と、取付材に取り付けられるカバー材を備え、取付材は被取付部への固定部を有し、取付材とカバー材とによって間接光形成部が形成されており、間接光形成部に配置された光源は、間接光形成部の内方に光を照射することで間接光形成部の開口部から外方に間接光を照射しており、カバー材と取付材に囲まれた配線空間が形成されていることを特徴とする。
【発明の効果】
【０００８】
請求項１の発明によれば、取付材は間接光形成部を有し、間接光形成部に配置された光源は、間接光形成部の内方に光を照射することで間接光形成部の開口部から外方に間接光を照射しているので、照明具の外部から光源が見えることがなく、眩しく感じることがない。また、取付材とカバー材に囲まれた配線空間内に、光源に接続された電気配線を収納することができるため、電気配線が外部に露出することが無く、意匠性に優れる。さらに、照明具を被取付部に取り付ける際は、取付材に光源を取り付けたのちに、被取付部に取り付けられた取付材に対し電気配線を行った後、取付材にカバー材を取り付ければよいため、複雑な手順がなく施工が容易である。
【０００９】
請求項２の発明によれば、カバー材は間接光形成部を有し、間接光形成部に配置された光源は、間接光形成部の内方に光を照射することで間接光形成部の開口部から外方に間接光を照射しているので、照明具の外部から光源が見えることがなく、眩しく感じることがない。また、取付材とカバー材に囲まれた配線空間内に、光源に接続された電気配線を収納することができるため、電気配線が外部に露出することが無く、意匠性に優れる。さらに、照明具を被取付部に取り付ける際は、被取付部に取り付けられた取付材に対して、光源の取り付け及び電気配線を行ったカバー材を取り付ければよいため、複雑な手順がなく施工が容易である。
【００１０】
請求項３の発明によれば、取付材とカバー材とで間接光形成部が形成されており、間接光形成部に配置された光源は、間接光形成部の内方に光を照射することで間接光形成部の開口部から外方に間接光を照射しているので、照明具の外部から光源が見えることがなく、眩しく感じることがない。また、取付材とカバー材に囲まれた配線空間内に、光源に接続された電気配線を収納することができるため、電気配線が外部に露出することが無く、意匠性に優れる。さらに、照明具を被取付部に取り付ける際は、取付材に光源を取り付けたのちに、被取付部に取り付けられた取付材に対して電気配線を行った後、カバー材を取付材に取り付ければよいため、複雑な手順がなく施工が容易である。
【図面の簡単な説明】
【００１１】
【図１】図３のI−I線断面図である。
【図２】第一実施形態の壁体の正面図である。
【図３】図２のIIIの、（ａ）は平面図、（ｂ）は正面図である。
【図４】第二実施形態の照明具の縦断面図である。
【図５】第三実施形態の照明具の縦断面図である。
【図６】第四実施形態の照明具の縦断面図である。
【図７】（ａ）は（ｂ）の照明具の拡大図であり、（ｂ）は図９のVII−VII線断面図である。
【図８】第五実施形態の門扉の正面図である。
【図９】図８の照明具の拡大図である。
【図１０】第五実施形態の照明具を前後幅の小さな門柱に取り付けた場合の横断面図である。
【図１１】第六実施形態の照明具の横断面図である。
【図１２】図１４のXII−XII線断面図である。
【図１３】第七実施形態の門扉の正面図である。
【図１４】図１３の照明具の拡大図である。
【図１５】第七実施形態の照明具を前後幅の小さな門柱に取り付けた場合の横断面図である。
【発明を実施するための形態】
【００１２】
以下、本発明の実施の形態を図面に基づいて説明する。以下の好ましい実施形態の説明は例示に過ぎず、本発明、その適用物あるいはその用途を制限することを意図するものではない。
【００１３】
本発明の第一実施形態として、照明具Ｌ１を壁体（被取付部）１１に取り付けた場合を図１乃至図３に示す。なお、以下の説明において前後とは図２の紙面に対して手前側及び奥側とし、一方側及び他方側とは上下方向の上側及び下側を指すものとする。
【００１４】
壁体１１は、図２に示すように地面Ｇに立設されており、前面には２本の略直方体状の照明具Ｌ１，Ｌ１がそれぞれ略水平方向、略鉛直方向に取り付けられている。これら２本の照明具Ｌ１，Ｌ１の構造は同一であり、取り付けられている向きが異なるだけである。以下では、壁体１１の上部に略水平方向に取り付けられている照明具Ｌ１について説明する。
【００１５】
照明具Ｌ１は、図１及び図３に示すように、壁体１１にスペーサー１２を介してネジ止めされた取付材２０と、取付材２０を前側から覆うカバー材３０と、取付材２０に取り付けられた光源５と、光源５から照射された光を他方側へ反射することで間接光５１を他方側へと照射する反射板６と、照明具Ｌ１の左右両端部に取り付けられた小口キャップ１３，１３から構成されている。
【００１６】
取付材２０は、照明具Ｌ１を壁体１１に取り付けるためのものであって、照明具Ｌ１の長手方向に亘って設けられている。取付材２０は、壁体１１にスペーサー１２を介してネジ止めされている固定部２０１と、固定部２０１の一方側部に連結されている一方側見込壁２０２と、固定部２０１の他方側部に連結されている反射板保持部２０３と、反射板保持部２０３の他方側前方に位置する光源保持部２０４と、反射板保持部２０３から他方側後方へ伸びるフィン２０６から構成されている。そして、光源保持部２０４と、反射板保持部２０３と、フィン２０６によって、間接光形成部４０が形成されている。固定部２０１は略鉛直方向に配置されており、スペーサー１２は固定部２０１と壁体１１に対し面接触している。一方側見込壁２０２の後端と壁体１１との間には空隙が設けられている。また、一方側見込壁２０２は、前側へ下方傾斜していて、前端部にはカバー材３０と係合する係合部２０２ａが形成されている。間接光形成部４０は、他方側へと開口していて、開口部４０１から他方側へと間接光５１を照射するものである。反射板保持部２０３は、反射板６を他方側へ向けて保持している。光源保持部２０４は、ＬＥＤである光源５による照射光が一方側後方へと照射されるように、光源５を他方側前方から包み込むようにして保持しており、光源５は照明具Ｌ１の外部から見えない。なお、光源５は図３に示すように、照明具Ｌ１の長手方向に等間隔に複数個配置されている。光源５から照射された光は、図１のように反射板６によって反射され、間接光５１となって他方側へ照射される。光源保持部２０４の他方側端部には、カバー材３０と弾性係合する係合部２０５が形成されている。フィン２０６は、反射板６によって反射された間接光５１が他方側へと効率的に照射されるようにするためのものであって、他方側端部の他方側面は後述のカバー材３０の他方側見込壁３０３の他方側面と略面一である。フィン２０６は反射板保持部２０３から他方側後方へ伸びており、鉛直方向下方へと伸びている場合と比べて、開口部４０１の開口間口、すなわち間接光５１の照射間口が広く、より効率良く間接光５１を照射できる。また、フィン２０６の後端と壁体１１との間には空隙が設けられている。そして、フィン２０６の前面は光源５の映り込みが目立たないようにするため、凹凸加工が施されている。
【００１７】
カバー材３０は、照明具Ｌ１の長手方向に亘って取付材２０を覆っており、断面略コ字状である。カバー材３０は、取付材２０の係合部２０２ａ，２０５にそれぞれ固定される一方側見込壁３０２及び他方側見込壁３０３と、両者を連結している見付壁３０１によって構成されている。一方側見込壁３０２は前側へ下方傾斜していて、一方側面（上面）は取付材２０の一方側見込壁２０２の一方側面（上面）と略面一である。一方側見込壁３０２の後端部には、取付材２０の係合部２０２ａと係合する被係合部３０２ａが形成されている。他方側見込壁３０３は略水平に配置されていて、後端部には取付材２０の係合部２０５と弾性係合する被係合部３０３ａが形成されている。
【００１８】
取付材２０の固定部２０１と一方側見込壁２０２と反射板保持部２０３と光源保持部２０４及び、カバー材３０によって囲まれた空間は、配線空間Ｓ１として使用される。配線空間Ｓ１は照明具Ｌ１の長手方向に亘って連続した空間であり、光源５に接続された電気配線Ｅが収納されている。照明具Ｌ１を壁体１１に取り付ける際には、光源５を取り付けた取付材２０を壁体１１にネジ止めし、光源５への電気配線を行ったのち、カバー材３０を取付材２０に係合させればよい。なお、配線空間Ｓ１の長手方向両端部は小口キャップ１３，１３で塞がれているので、配線空間Ｓ１の内部に雨水等が浸入することはない。
【００１９】
次に、このように構成した本発明の照明具の第一実施形態による作用効果について述べる。取付材２０は間接光形成部４０を有していて、間接光形成部４０に配置された光源５は、間接光形成部４０の内方へ光を照射することで間接光形成部４０の開口部４０１から間接光形成部４０の外方に間接光５１を照射している。すなわち、光源保持部２０４は、光源５からの光が一方側後方へと照射されるように、光源５を他方側前方から包み込むようにして保持しており、光源５から照射された光は、反射板６によって反射され、間接光５１となって他方側へ照射され、光源５は照明具Ｌ１の外部から見えなくなっているので、光源が直接見えて眩しく感じるということがない。
【００２０】
そして、照明具Ｌ１は、間接光形成部４０が取付材２０のみによって形成されているので、光源５の向きや反射板６の角度等の微調整が不要であり、施工性に優れる。
【００２１】
また、照明具Ｌ１は、取付材２０とカバー材３０に囲まれた配線空間Ｓ１内に、光源５に接続された電気配線Ｅを収納することができるため、電気配線Ｅが外部に露出することが無く、意匠性に優れる。
【００２２】
そして、照明具Ｌ１は、固定部２０１を壁体１１に固定するネジの頭部が配線空間Ｓ１内に位置しているので外部に露出することが無く、意匠性に優れる。
【００２３】
さらに、照明具Ｌ１を壁体１１に取り付ける際には、光源５を取り付けた取付材２０を壁体１１にネジ止めし、光源５への電気配線を行ったのち、取付材２０にカバー材３０を取り付ければよいため、複雑な手順がなく施工が容易である。
【００２４】
また、取付材２０の一方側見込壁２０２とカバー材３０の一方側見込壁３０２の一方側面は略面一であって、前側へ下方傾斜している。すなわち、壁体１１から遠ざかるにつれて照明具Ｌ１の上下方向の幅が狭まる方向に傾斜しているため、上方からの雨水等は照明具Ｌ１の前側に流れ落ち、照明具Ｌ１の上面に溜まらない。また、照明具Ｌ１の上下方向の幅が細く見え、より意匠性が高くなっている。
【００２５】
そして、カバー材３０が一方側見込壁３０２を有していることで、カバー材３０が見付壁３０１のみで構成されていて見付壁３０１の一方側端部に被係合部を有する場合に比べて、カバー材３０に一方側（上側）から荷重がかかった際にカバー材３０がより照明具Ｌ１から脱落しにくくなっている。
【００２６】
次に、本発明の第二実施形態として、照明具Ｌ２を壁体（被取付部）１１に取り付けた場合を図４（ａ），（ｂ）に示す。図４（ａ）は照明具Ｌ２を壁体１１の中間部に取り付けた場合であり、図４（ｂ）は角部１１ａを有する壁体１１に取り付けた場合である。照明具Ｌ２の構成の多くの部分は第一実施形態の照明具Ｌ１と同一であるが、以下の点において相違する。取付材２０の壁体１１への固定部２０１ａは、壁体１１に沿って鉛直方向に、一方側見込壁２０２の後端部から一方側へと突出して設けられている。すなわち、取付材２０は、壁体１１にネジ止めされている固定部２０１ａと、一方側見込壁２０２と、一方側見込壁２０２の他方側面から延びる見付壁２０８と、見付壁２０８の下部に連結している反射板保持部２０３と、反射板保持部２０３の他方側前方に位置する光源保持部２０４と、反射板保持部２０３から後方へ伸びた他方側見込壁２０７から構成されている。他方側見込壁２０７は、カバー材３０の他方側見込壁３０３よりも一方側に位置していて、図４（ｂ）のように照明具Ｌ２を壁体１１の角部１１ａに取り付けた場合には、壁体１１の多方側面と面一となる。そして、間接光形成部４０は、光源保持部２０４と、反射板保持部２０３と、他方側見込壁２０７から構成されている。図４（ａ）のように照明具Ｌ２を壁体１１の中間部に取り付けた場合には、光源５は照明具Ｌ２の外部から見えなくなっており、光源５から照射された光は、反射板６によって反射され、間接光５１となって他方側へ照射される。また、図４（ｂ）のように照明具Ｌ２を壁体１１の角部１１ａに取り付けた場合には、光源５は照明具Ｌ２の前側、一方側及び他方側から見えなくなっており、光源５から照射された光は、反射板６によって反射され、間接光５１となって他方側後方へ照射される。なお、照明具Ｌ２を壁体１１に取り付ける際は、光源５を取り付けた取付材２０を壁体１１にネジ止めし、光源５への電気配線を行ったのち、取付材２０にカバー材３０を取り付ければよい。また、照明具Ｌ２の壁体１１への別の取り付け手順として、まず取付材２０に対して光源５の取り付け及び電気配線作業を行い、取付材２０へのカバー材３０の取り付けが完了した後に取付材２０の固定部２０１ａを壁体１１にネジ止めすることもできる。
【００２７】
次いで、このように構成した本発明の照明具の第二実施形態による作用効果について述べる。取付材２０は間接光形成部４０を有していて、間接光形成部４０に配置された光源５は、間接光形成部４０の内方へ光を照射することで間接光形成部４０の開口部４０１から間接光形成部４０の外方に間接光５１を照射している。すなわち、光源保持部２０４は、光源５からの光が一方側後方へと照射されるように、光源５を他方側前方から包み込むようにして保持しており、光源５から照射された光は、反射板６によって反射されて間接光５１となって照射され、照明具Ｌ２を壁体１１の中間部に取り付けた場合には光源５は照明具Ｌ２の外部から見えなくなっており、光源が直接見えて眩しく感じるということがない。また、照明具Ｌ２を壁体１１の角部１１ａに取り付けた場合には光源５は照明具Ｌ２の前側、一方側及び他方側から見えなくなっているので、照明具Ｌ２の前側、一方側及び他方側から光源が直接見えて眩しく感じるということがない。
【００２８】
そして、照明具Ｌ２は、間接光形成部４０が取付材２０のみによって形成されているので、光源５の向きや反射板６の角度等の微調整が不要であり、施工性に優れる。
【００２９】
また、照明具Ｌ２は、取付材２０とカバー材３０に囲まれた配線空間Ｓ１内に、光源５に接続された電気配線Ｅを収納することができるため、電気配線Ｅが外部に露出することが無く、意匠性に優れる。
【００３０】
さらに、照明具Ｌ２を壁体１１に取り付ける際は、光源５を取り付けた取付材２０を壁体１１にネジ止めし、光源５への電気配線を行ったのち、取付材２０にカバー材３０を取り付ければよいため、複雑な手順がなく施工が容易である。
【００３１】
また、取付材２０の壁体１１への固定部２０１ａは、壁体１１に沿って、一方側見込壁２０２の後端部から一方側へと突出して設けられているので、照明具Ｌ２の壁体１１への別の取り付け手順として、まず取付材２０に対して光源５の取り付け及び電気配線作業を行い、取付材２０へのカバー材３０の取り付けが完了した後に取付材２０の固定部２０１ａを壁体１１にネジ止めすることもできるので、さらに施工性に優れる。
【００３２】
また、取付材２０の一方側見込壁２０２とカバー材３０の一方側見込壁３０２の一方側面は略面一であって、前側へ下方傾斜している。すなわち、壁体１１から遠ざかるにつれて照明具Ｌ２の幅が狭まる方向に傾斜しているため、上方からの雨水等は照明具Ｌ２の前側に流れ落ち、照明具Ｌ２の上面に溜まることがない。また、照明具Ｌ２の幅が細く見え、より意匠性が高くなっている。
【００３３】
そして、カバー材３０が一方側見込壁３０２を有していることで、カバー材３０が見付壁３０１のみで構成されていて見付壁３０１の一方側端部に被係合部を有する場合に比べて、カバー材３０に一方側（上側）から荷重がかかった際にカバー材３０がより照明具Ｌ２から脱落しにくくなっている。
【００３４】
また、図４（ｂ）のように照明具Ｌ２を壁体１１の他方側の角部１１ａに取り付けた場合には、間接光５１が他方側だけでなく後方へも照射されるので、壁体１１の他方側面等のより広範囲を照らすことができる。
【００３５】
次いで、本発明の第三実施形態として、照明具Ｌ３を壁体（被取付部）１１に取り付けた場合を図５に示す。照明具Ｌ３の構成の多くの部分は第一実施形態の照明具Ｌ１と同一であるが、以下の点において相違する。
【００３６】
照明具Ｌ３は、図５に示すように、壁体１１にネジ止めされた取付材２１と、取付材２１を前側から覆うカバー材３１と、取付材２１に取り付けられた光源５と、光源５から照射された光を他方側へ反射することで間接光５１を他方側へと照射する反射板６と、照明具Ｌ３の左右両端部に取り付けられた小口キャップ１３，１３から構成されている。
【００３７】
取付材２１は、壁体１１にネジ止めされている見付壁２１１と、見付壁２１１の一方側部に連結されている一方側見込壁２１２と、見付壁２１１の他方側部に連結されている当接部２１６と、見付壁２１１の中間部に連結されている反射板保持部２１３と、反射板保持部２１３の他方側前方に位置する光源保持部２１４から構成されている。そして、光源保持部２１４と、反射板保持部２１３と、見付壁２１１の他方側部によって、間接光形成部４１が形成されている。見付壁２１１は壁体１１との間隔を空けて略鉛直方向に配置されており、見付壁２１１の一方側部である固定部２１１ａは、壁体１１にネジ止めされている。一方側見込壁２１２は壁体１１に対して垂直であり、その後端は壁体１１に当接している。また、一方側見込壁２１２の前端部には、カバー材３１と係合する係合部２１２ａが形成されている。間接光形成部４１は、他方側へと開口していて、開口部４１１から他方側へと間接光５１を照射するものである。光源保持部２１４の前部には、カバー材３１と弾性係合する係合部２１５が形成されている。また、光源保持部２１４の他方側部には、前方へと伸びてカバー材３１に当接する他方側見込壁２１７が形成されている。当接部２１６は、見付壁２１１の他方側端部から後方へと伸びて壁体１１に当接していて、他方側見込壁２１７と略面一である。
【００３８】
カバー材３１は略平板状であり、照明具Ｌ３の長手方向に亘って取付材２１を覆っている。カバー材３１は、取付材２１の係合部２１２ａ，２１５に固定される見付壁３１１からなる。見付壁３１１の一方側部には、取付材２１の係合部２１２ａと弾性係合する被係合部３１１ａが形成されている。見付壁３１１の中間部には取付材２１の係合部２１５と弾性係合する被係合部３１１ｂが形成されている。
【００３９】
取付材２１の固定部２１１ａと一方側見込壁２１２と反射板保持部２１３と光源保持部２１４及び、カバー材３１の被係合部３１１ｂよりも一方側の部分によって囲まれた空間は、配線空間Ｓ１として使用される。配線空間Ｓ１は照明具Ｌ３の長手方向に亘って連続した空間であり、光源５に接続された電気配線Ｅが収納されている。照明具Ｌ３を壁体１１に取り付ける際には、光源５を取り付けた取付材２１を壁体１１にネジ止めし、光源５への電気配線を行ったのち、カバー材３１を取付材２１に係合させればよい。なお、配線空間Ｓ１の長手方向両端部は小口キャップ１３，１３で塞がれているので、配線空間Ｓ１の内部に雨水等が浸入することはない。
【００４０】
次に、このように構成した本発明の照明具の第三実施形態による作用効果について述べる。取付材２１は間接光形成部４１を有していて、間接光形成部４１に配置された光源５は、間接光形成部４１の内方へ光を照射することで間接光形成部４１の開口部４１１から間接光形成部４１の外方に間接光５１を照射している。すなわち、光源保持部２１４は、光源５からの光が一方側後方へと照射されるように、光源５を他方側前方から包み込むようにして保持しており、光源５から照射された光は、反射板６によって反射され、間接光５１となって他方側へ照射され、光源５は照明具Ｌ３の外部から見えなくなっているので、光源が直接見えて眩しく感じるということがない。
【００４１】
そして、照明具Ｌ３は、間接光形成部４１が取付材２１のみによって形成されているので、光源５の向きや反射板６の角度等の微調整が不要であり、施工性に優れる。
【００４２】
また、照明具Ｌ３は、取付材２１とカバー材３１に囲まれた配線空間Ｓ１内に、光源５に接続された電気配線Ｅを収納することができるため、電気配線Ｅが外部に露出することが無く、意匠性に優れる。
【００４３】
そして、照明具Ｌ３は、固定部２１１ａを壁体１１に固定するネジの頭部が配線空間Ｓ１内に位置しているので外部に露出することが無く、意匠性に優れる。
【００４４】
さらに、照明具Ｌ３を壁体１１に取り付ける際は、光源５を取り付けた取付材２１を壁体１１にネジ止めし、光源５への電気配線を行ったのち、取付材２１にカバー材３１を取り付ければよいため、複雑な手順がなく施工が容易である。
【００４５】
次いで、本発明の第四実施形態として、照明具Ｌ４を壁体（被取付部）１１に取り付けた場合を図６（ａ），（ｂ）に示す。図６（ａ）は照明具Ｌ４を壁体１１の中間部に取り付けた場合であり、図６（ｂ）は角部１１ａを有する壁体１１に取り付けた場合である。照明具Ｌ４の構成の多くの部分は第三実施形態の照明具Ｌ３と同一であるが、以下の点において相違する。
【００４６】
取付材２１は、壁体１１にネジ止めされている固定部２１８と、固定部２１８の他方側部に連結されている一方側見込壁２１２と、一方側見込壁２１２の中間部に連結されている見付壁２１１と、見付壁２１１の他方側部に連結されている反射板保持部２１３と、反射板保持部２１３の後部に連結されている当接部２１６と、反射板保持部２１３の他方側前方に位置する光源保持部２１４から構成されている。そして、光源保持部２１４と、反射板保持部２１３と、当接部２１６によって、間接光形成部４１が形成されている。固定部２１８は、壁体１１に沿って設けられていて、壁体１１にネジ止めされている。一方側見込壁２１２は壁体１１に対して垂直に設けられている。また、一方側見込壁２１２の前端部には、カバー材３１と弾性係合する係合部２１２ａが形成されている。見付壁２１１は壁体１１に対して間隔を空けて設けられている。間接光形成部４１は、他方側へと開口していて、開口部４１１から間接光５１を照射するものである。当接部２１６は、反射板保持部２１３から後方へと伸びて壁体１１に当接している。当接部２１６は、他方側見込壁２１７よりも一方側に位置していて、図６（ｂ）のように照明具Ｌ４を壁体１１の角部１１ａに取り付けた場合には、当接部２１６の多方側面が壁体１１の多方側面と面一となる。図６（ａ）のように照明具Ｌ４を壁体１１の中間部に取り付けた場合には、光源５は照明具Ｌ２の外部から見えなくなっており、光源５から照射された光は、反射板６によって反射され、間接光５１となって他方側へ照射される。また、図６（ｂ）のように照明具Ｌ４を壁体１１の角部１１ａに取り付けた場合には、光源５は照明具Ｌ４の前側、一方側及び他方側から見えなくなっており、光源５から照射された光は、反射板６によって反射され、間接光５１となって他方側後方へ照射される。
【００４７】
取付材２１の一方側見込壁２１２と見付壁２１１と反射板保持部２１３と光源保持部２１４及び、カバー材３１の被係合部３１１ｂよりも一方側の部分によって囲まれた空間は、配線空間Ｓ１として使用される。配線空間Ｓ１は照明具Ｌ４の長手方向に亘って連続した空間であり、光源５に接続された電気配線Ｅが収納されている。照明具Ｌ４を壁体１１に取り付ける際には、光源５を取り付けた取付材２１を壁体１１にネジ止めし、光源５への電気配線を行ったのち、カバー材３１を取付材２１に係合させればよい。また、照明具Ｌ４の壁体１１への別の取り付け手順として、まず取付材２１に対して光源５の取り付け及び光源５への電気配線作業を行い、取付材２１へのカバー材３１の取り付けが完了した後に取付材２１の固定部２１８を壁体１１にネジ止めすることもできる。なお、配線空間Ｓ１の長手方向両端部は小口キャップ１３，１３で塞がれているので、配線空間Ｓ１の内部に雨水等が浸入することはない。
【００４８】
次に、このように構成した本発明の照明具の第四実施形態による作用効果について述べる。取付材２１は間接光形成部４１を有していて、間接光形成部４１に配置された光源５は、間接光形成部４１の内方へ光を照射することで間接光形成部４１の開口部４１１から間接光形成部４１の外方に間接光５１を照射している。すなわち、光源保持部２１４は、光源５からの光が一方側後方へと照射されるように、光源５を他方側前方から包み込むようにして保持しており、光源５から照射された光は、反射板６によって反射されて間接光５１となって照射され、照明具Ｌ４を壁体１１の中間部に取り付けた場合には光源５は照明具Ｌ４の外部から見えなくなっており、光源が直接見えて眩しく感じるということがない。また、照明具Ｌ４を壁体１１の角部１１ａに取り付けた場合には光源５は照明具Ｌ４の前側、一方側及び他方側から見えなくなっているので、照明具Ｌ４の前側、一方側及び他方側から光源が直接見えて眩しく感じるということがない。
【００４９】
そして、照明具Ｌ４は、間接光形成部４１が取付材２１のみによって形成されているので、光源５の向きや反射板６の角度等の微調整が不要であり、施工性に優れる。
【００５０】
また、照明具Ｌ４は、取付材２１とカバー材３１に囲まれた配線空間Ｓ１内に、光源５に接続された電気配線Ｅを収納することができるため、電気配線Ｅが外部に露出することが無く、意匠性に優れる。
【００５１】
さらに、照明具Ｌ４を壁体１１に取り付ける際は、光源５を取り付けた取付材２１を壁体１１にネジ止めし、光源５への電気配線を行ったのち、取付材２１にカバー材３１を取り付ければよいため、複雑な手順がなく施工が容易である。
【００５２】
また、取付材２１の壁体１１への固定部２１８は、壁体１１に沿って、一方側見込壁２１２の後端部から一方側へと突出して設けられているので、照明具Ｌ４の壁体１１への別の取り付け手順として、まず取付材２１に対して光源５の取り付け及び光源５への電気配線作業を行い、取付材２１へのカバー材３１の取り付けが完了した後に取付材２１の固定部２１８を壁体１１にネジ止めすることもできるので、施工性に優れる。
【００５３】
また、図６（ｂ）のように照明具Ｌ４を壁体１１の他方側の角部１１ａに取り付けた場合には、間接光５１が他方側だけでなく後方へも照射されるので、壁体１１の他方側面等のより広範囲を照らすことができる。
【００５４】
次いで、本発明の第五実施形態として、照明具Ｌ５を門柱（被取付部）１４ａに取り付けた場合を図７乃至図１０に示す。なお、以下の説明において前後とは図８の手前側及び奥側とし、一方側及び他方側とは図７乃至図１０に示す方向とする。また、図１０は、前後幅の小さい門柱（被取付部）１４ｄに照明具Ｌ５を取り付けた場合を示している。
【００５５】
門柱１４ａは、図８に示すように地面Ｇに立設されていて、図７に示すように肘金具１４ｂを介して扉体１４ｃが取り付けられて、門扉１４を構成している。門柱１４ａの他方側面には、門柱１４ａの長手方向に沿って略直方体状の照明具Ｌ５が取り付けられている。
【００５６】
照明具Ｌ５は、図７乃至及び図９に示すように、門柱１４ａにネジ止めされた取付材２２と、取付材２２を他方側から覆うカバー材３２と、カバー材３２に取り付けられた光源５と、光源５から照射された光を他方側へ反射することで間接光５１を他方側へと照射する反射板６と、照明具Ｌ５の上下端部に取り付けられた小口キャップ１３，１３から構成されている。
【００５７】
取付材２２は、照明具Ｌ５を門柱１４ａに取り付けるためのものであって、照明具Ｌ５の長手方向に亘って設けられている。取付材２２は断面略Ｌ字状であり、門柱１４ａにネジ止めされている固定部２２１と、固定部２２１の後端に連結されている後見付壁２２２から構成されている。固定部２２１は門柱１４ａの他方側面に沿って設けられており、前端にはカバー材３２と弾性係合する係合部２２１ａが形成されている。後見付壁２２２は、後述するカバー材３２の後見付壁３２３にネジ止めされている。
【００５８】
カバー材３２は、照明具Ｌ５の長手方向に亘って取付材２２を覆っている。カバー材３２は、取付材２２の係合部２２１ａに固定される一方側見込壁３２２と、一方側見込壁３２２の前端から他方側へと伸びた前見付壁３２１と、取付材２２の後見付壁２２２にネジ止めされる後見付壁３２３と、前見付壁３２１と後見付壁３２３の中間部を連結し反射板保持部３２４ａを有する連結壁３２４と、連結壁３２４の他方側に位置する光源保持部３２５から構成されている。そして、光源保持部３２５と、反射板保持部３２４ａと、前見付壁３２１の他方側部によって、間接光形成部４２が形成されている。一方側見込壁３２２は、門柱１４ａとの隙間を空けて前後方向に設けられており、後端部が屈曲して、取付材２２の係合部２２１ａに弾性係合する被係合部３２２ａが形成されていて、被係合部３２２ａは門柱１４ａに当接している。前見付壁３２１は、他方側端部が後方へと屈曲して角部３２１ａを形成している。後見付壁３２３は、前見付壁３２１と略平行に設けられており、他方側端部が前方へと屈曲して角部３２３ａを形成している。後見付壁３２３の他方側部には、クッション材１５が取り付けられている。そして、後見付壁３２３の一方側部は、取付材２２の後見付壁２２２に重なっていて、両者はネジ止めされている。連結壁３２４の前部には、反射板６を他方側へ向けて保持する反射板保持部３２４ａが設けられている。間接光形成部４２は、他方側へと開口していて、開口部４２１から他方側へと間接光５１を照射するものである。光源保持部３２５は、後見付壁３２３よりも前側に位置していて、ＬＥＤである光源５による照射光が一方側前方へと照射されるように、光源５を他方側後方から包み込むようにして保持しており、光源５は照明具Ｌ５の外部から見えない。なお、光源５は図９に示すように、照明具Ｌ５の長手方向に等間隔に複数個配置されている。光源５から照射された光は、図７（ａ）のように反射板６によって反射され、間接光５１となって他方側へ照射される。
【００５９】
取付材２２と、カバー材３２の一方側見込壁３２２と、前見付壁３２１の一方側部と、連結壁３２４と、後見付壁３２３の一方側部によって囲まれた空間は、配線空間Ｓ２として使用される。配線空間Ｓ２は照明具Ｌ５の長手方向に亘って連続した空間であり、光源５に接続された電気配線Ｅが収納されている。照明具Ｌ５を門柱１４ａに取り付ける際には、門柱１４ａに取付材２２をネジ止めし、光源５の取り付け及び電気配線を行ったカバー材３２を取付材２２に取り付ければよい。なお、配線空間Ｓ２の長手方向両端部は小口キャップ１３，１３で塞がれているので、配線空間Ｓ２の内部に雨水等が浸入することはない。
【００６０】
ここで、図１０に示すように、照明具Ｌ５を前後幅の小さな門柱１４ｄに取り付けた場合について説明する。門柱１４ｄの前後幅が小さい場合等においては、照明具Ｌ５を門柱１４ｄの角部に取り付けることが可能である。このとき、カバー材３２の一方側見込壁３２２を門柱１４ｄに沿わせる必要がないので、取付材２２の固定部２２１が門柱１４ｄの他方側面にネジ止め可能な位置にありさえすればよい。
【００６１】
次に、このように構成した本発明の照明具の第五実施形態による作用効果について述べる。カバー材３２は間接光形成部４２を有していて、間接光形成部４２に配置された光源５は、間接光形成部４２の内方へ光を照射することで間接光形成部４２の開口部４２１から間接光形成部４２の外方に間接光５１を照射している。すなわち、光源保持部３２５は、光源５からの光が一方側前方へと照射されるように、光源５を他方側後方から包み込むようにして保持しており、光源５から照射された光は、反射板６によって反射され、間接光５１となって他方側へ照射され、光源５は照明具Ｌ５の外部から見えなくなっているので、光源が直接見えて眩しく感じるということがない。
【００６２】
そして、照明具Ｌ５は、間接光形成部４２がカバー材３２のみによって形成されているので、光源５の向きや反射板６の角度等の微調整が不要であり、施工性に優れる。
【００６３】
また、照明具Ｌ５は、取付材２２とカバー材３２に囲まれた配線空間Ｓ２内に、光源５に接続された電気配線Ｅを収納することができるため、電気配線Ｅが外部に露出することが無く、意匠性に優れる。
【００６４】
そして、照明具Ｌ５は、固定部２２１を壁体１１に固定するネジの頭部が配線空間Ｓ２内に位置しているので外部に露出することが無く、意匠性に優れる。
【００６５】
さらに、照明具Ｌ５を門柱１４ａに取り付ける際は、門柱１４ａに取付材２２をネジ止めし、光源５の取り付け及び電気配線を行ったカバー材３２を取付材２２に取り付ければよいため、複雑な手順がなく施工が容易である。
【００６６】
また、照明具Ｌ５は、カバー材３２の一方側見込壁３２２を門柱１４ｄに沿わせる必要がないので、取付材２２の固定部２２１が門柱１４ｄの他方側面にネジ止め可能な位置にありさえすればよく、門柱の前後幅が小さい場合等においては照明具Ｌ５を門柱１４ｄの角部に取り付けることが可能であるので、汎用性が高い。
【００６７】
次いで、本発明の第六実施形態として、照明具Ｌ６を門柱（被取付部）１４ａに取り付けた場合を図１１に示す。照明具Ｌ６の構成の多くの部分は第五実施形態の照明具Ｌ５と同一であるが、以下の点において相違する。
【００６８】
取付材２２は、断面略コ字状であり、門柱１４ａにネジ止めされている固定部２２１と、固定部２２１の前端に連結されている前見付壁２２３と、固定部２２１の後端に連結されている後見付壁２２２から構成されている。固定部２２１は門柱１４ａの他方側面に沿って設けられており、前端及び後端にはカバー材３２と係合する係合部２２１ａ及び２２１ｂが形成されている。
【００６９】
カバー材３２は、取付材２２の係合部２２１ａに固定される前見付壁３２１と、取付材２２の係合部２２１ｂに固定される後見付壁３２３と、前見付壁３２１と後見付壁３２３の中間部を連結し反射板保持部３２４ａを有する連結壁３２４と、連結壁３２４の他方側に位置する光源保持部３２５から構成されている。そして、光源保持部３２５と、反射板保持部３２４ａと、前見付壁３２１の他方側部によって、間接光形成部４２が形成されている。前見付壁３２１の一方側端部には、後方へと伸びていて門柱１４ａに当接し、取付材２２の係合部２２１ａに係合する被係合部３２１ｂが形成されている。また、前見付壁３２１の他方側端部には、他方側後方へと屈曲した角部３２１ａが形成されている。後見付壁３２３は、前見付壁３２１と略平行に設けられており、他方側端部が前方へと屈曲して角部３２３ａを形成している。後見付壁３２３の他方側部には、クッション材１５が取り付けられている。後見付壁３２３の一方側端部には、取付材２２の係合部２２１ｂに係合する被係合部３２３ｂが形成されている。
【００７０】
取付材２２と、カバー材３２の前見付壁３２１の一方側部と、連結壁３２４と、後見付壁３２３の一方側部によって囲まれた空間は、配線空間Ｓ２として使用される。
【００７１】
次に、このように構成した本発明の照明具の第六実施形態による作用効果について述べる。カバー材３２は間接光形成部４２を有していて、間接光形成部４２に配置された光源５は、間接光形成部４２の内方へ光を照射することで間接光形成部４２の開口部４２１から間接光形成部４２の外方に間接光５１を照射している。すなわち、光源保持部３２５は、光源５からの光が一方側前方へと照射されるように、光源５を他方側後方から包み込むようにして保持しており、光源５から照射された光は、反射板６によって反射され、間接光５１となって他方側へ照射され、光源５は照明具Ｌ６の外部から見えなくなっているので、光源が直接見えて眩しく感じるということがない。
【００７２】
そして、照明具Ｌ６は、間接光形成部４２がカバー材３２のみによって形成されているので、光源５の向きや反射板６の角度等の微調整が不要であり、施工性に優れる。
【００７３】
また、照明具Ｌ６は、取付材２２とカバー材３２に囲まれた配線空間Ｓ２内に、光源５に接続された電気配線Ｅを収納することができるため、電気配線Ｅが外部に露出することが無く、意匠性に優れる。
【００７４】
そして、照明具Ｌ６は、固定部２２１を壁体１１に固定するネジの頭部が配線空間Ｓ２内に位置しているので外部に露出することが無く、意匠性に優れる。
【００７５】
さらに、照明具Ｌ６を門柱１４ａに取り付ける際は、門柱１４ａに取付材２２をネジ止めし、光源５の取り付け及び電気配線を行ったカバー材３２を取付材２２に取り付ければよいため、複雑な手順がなく施工が容易である。
【００７６】
次いで、本発明の第七実施形態として、照明具Ｌ７を門柱（被取付部）１４ａに取り付けた場合を図１２乃至図１５に示す。なお、以下の説明において前後とは、図１３の手前側及び奥側とし、一方側及び他方側とは図１２乃至図１５に示す方向とする。また、図１５は、前後幅の小さい門柱（被取付部）１４ｄに照明具Ｌ７を取り付けた場合を示している。
【００７７】
門柱１４ａは、図１３に示すように地面Ｇに立設されていて、図７に示すように肘金具１４ｂを介して扉体１４ｃが取り付けられて、門扉１４を構成している。門柱１４ａの他方側面には、門柱１４ａの長手方向に沿って略直方体状の照明具Ｌ７が取り付けられている。
【００７８】
照明具Ｌ７は、図１２乃至及び図１４に示すように、門柱１４ａにネジ止めされた取付材２３と、取付材２３を前側から覆うカバー材３３と、取付材２３に取り付けられた光源５と、カバー材３３に取り付けられ、光源５から照射された光を他方側へ反射することで間接光５１を他方側へと照射する反射板６と、照明具Ｌ７の上下端部に取り付けられた小口キャップ１３，１３から構成されている。
【００７９】
取付材２３は、照明具Ｌ７を門柱１４ａに取り付けるためのものであって、照明具Ｌ７の長手方向に亘って設けられている。取付材２３は断面略Ｃ字状であり、門柱１４ａにネジ止めされている一方側見込壁２３１と、一方側見込壁２３１の前端部から他方側へと伸びた前見付壁２３２と、一方側見込壁２３１の後端から他方側へ伸びた後見付壁２３３と、後見付壁２３３の他方側部に設けられた光源保持部２３３ｃから構成されている。一方側見込壁２３１の後部は、門柱１４ａに当接してネジ止めされる固定部２３１ａを有している。また、一方側見込壁２３１の前部は、門柱１４ａとの隙間を空けて設けられている。前見付壁２３２は、後述のカバー材３３の見付壁３３１にネジ止めされている。後見付壁２３３は、他方側端部において前側へと屈曲した角部２３３ａを有していて、後見付壁２３３の他方側部にはクッション材１５が取り付けられている。また、後見付壁２３３の中間部には後述のカバー材３３の被係合部３３２ａと係合する係合部２３３ｂを有している。光源保持部２３３ｃは、後見付壁２３３よりも前側に位置していて、ＬＥＤである光源５による照射光が一方側前方へと照射されるように、光源５を他方側後方から包み込むようにして保持しており、光源５は照明具Ｌ７の外部から見えない。なお、光源５は図１４に示すように、照明具Ｌ７の長手方向に等間隔に複数個配置されている。
【００８０】
カバー材３３は、照明具Ｌ７の長手方向に亘って取付材２３を覆っている。カバー材３３は断面略Ｔ字状であり、取付材２３の前見付壁２３２にネジ止めされる見付壁３３１と、見付壁３３１の中間部から後方へと伸び、取付材２３の係合部２３３ｂに固定される見込壁３３２とで構成されている。見付壁３３１の一方側部は、取付材２３の前見付壁２３２に重なっていて、両者はネジ止めされている。また、見付壁３３１は、他方側端部が後方へと屈曲して角部３３１ａを形成している。見込壁３３２の前部には、反射板６を他方側へ向けて保持する反射板保持部３３２ｂが設けられている。また、見込壁３３２の後端には、取付材２３の係合部２３３ｂと係合する被係合部３３２ａが形成されている。
【００８１】
そして、取付材２３の光源保持部２３３ｃと、カバー材３３の見込壁３３２と見付壁３３１の他方側部によって、間接光形成部４３が形成されている。間接光形成部４３は、他方側へと開口していて、開口部４３１から他方側へと間接光５１を照射するものである。光源５から照射された光は、図１２（ａ）のように反射板６によって反射され、間接光５１となって他方側へ照射される。
【００８２】
取付材２３の一方側見込壁２３１と、前見付壁２３２と、後見付壁２３３の一方側部と、カバー材３３の見込壁３３２によって囲まれた空間は、配線空間Ｓ３として使用される。配線空間Ｓ３は照明具Ｌ７の長手方向に亘って連続した空間であり、光源５に接続された電気配線Ｅが収納されている。照明具Ｌ７を門柱１４ａに取り付ける際には、光源５を取り付けた取付材２３を門柱１４ａにネジ止めした後に、光源５への電気配線を行ったのち、カバー材３３を取付材２３に取り付ければよい。なお、配線空間Ｓ３の長手方向両端部は小口キャップ１３，１３で塞がれているので、配線空間Ｓ３の内部に雨水等が浸入することはない。
【００８３】
ここで、図１５に示すように、照明具Ｌ７を前後幅の小さな門柱１４ｄに取り付けた場合について説明する。門柱１４ｄの前後幅が小さい場合等においては、照明具Ｌ７を門柱１４ｄの角部に取り付けることが可能である。このとき、取付材２３の一方側見込壁２３１の前部を門柱１４ｄに沿わせる必要がないので、取付材２３の固定部２３１ａが門柱１４ｄの他方側面にネジ止め可能な位置にありさえすればよい。
【００８４】
次に、このように構成した本発明の照明具の第七実施形態による作用効果について述べる。照明具Ｌ７は間接光形成部４３を有していて、間接光形成部４３に配置された光源５は、間接光形成部４３の内方へ光を照射することで間接光形成部４３の開口部４３１から間接光形成部４３の外方に間接光５１を照射している。すなわち、光源保持部２３３ｃは、光源５からの光が一方側前方へと照射されるように、光源５を他方側後方から包み込むようにして保持しており、光源５から照射された光は、反射板６によって反射され、間接光５１となって他方側へ照射され、光源５は照明具Ｌ７の外部から見えなくなっているので、光源が直接見えて眩しく感じるということがない。
【００８５】
また、照明具Ｌ７は、取付材２３とカバー材３３に囲まれた配線空間Ｓ３内に、光源５に接続された電気配線Ｅを収納することができるため、電気配線Ｅが外部に露出することが無く、意匠性に優れる。
【００８６】
そして、照明具Ｌ７は、固定部２３１ａを壁体１１に固定するネジの頭部が配線空間Ｓ３内に位置しているので外部に露出することが無く、意匠性に優れる。
【００８７】
さらに、照明具Ｌ７を門柱１４ａに取り付ける際は、光源５を取り付けた取付材２３を門柱１４ａにネジ止めした後に、光源５への電気配線を行ったのち、カバー材３３を取付材２３に取り付ければよいため、複雑な手順がなく施工が容易である。
【００８８】
また、照明具Ｌ７は、取付材２３の一方側見込壁２３１の前部を門柱１４ｄに沿わせる必要がないので、取付材２３の固定部２３１ａが門柱１４ｄの他方側面にネジ止め可能な位置にありさえすればよく、門柱の前後幅が小さい場合等においては照明具Ｌ７を門柱１４ｄの角部に取り付けることが可能であるので、汎用性が高い。
【００８９】
本発明は、上記の実施形態に限定されない。例えば、本発明は壁体や門扉等の建材に限らず、カーポートの梁等や様々な構造物に適用可能である。
【符号の説明】
【００９０】
Ｌ１〜Ｌ７    照明具
Ｓ１〜Ｓ３    配線空間
１１    壁体（被取付部）
１４ａ，１４ｄ    門柱（被取付部）
２０，２１，２２，２３    取付材
２０１，２０１ａ，
２１１ａ，２１８，
２２１，２３１ａ    固定部
４０，４１，４２，４３    間接光形成部
４０１，４１１，
４２１，４３１    開口部
３０，３１，３２，３３    カバー材
５    光源
５１    間接光
【図１】
2020194640.tif 000003
【図２】
2020194640.tif 000004
【図３】
2020194640.tif 000005
【図４】
2020194640.tif 000006
【図５】
2020194640.tif 000007
【図６】
2020194640.tif 000008
【図７】
2020194640.tif 000009
【図８】
2020194640.tif 000010
【図９】
2020194640.tif 000011
【図１０】
2020194640.tif 000012
【図１１】
2020194640.tif 000013
【図１２】
2020194640.tif 000014
【図１３】
2020194640.tif 000015
【図１４】
2020194640.tif 000016
【図１５】
2020194640.tif 000017